(57)【要約】      （修正有）【課題】店舗および通路別仕分けを行うことができ、商品の確実な実績管理を行うことができる仕分けシステムを提供する。【解決手段】食品が収納されたケース１１，２９を連続して格納可能で、注文データで仕分けする店舗の通路がそれぞれ割り当てられた間口５２を複数有する流動棚５３と、ケースに取り付けられたバーコードラベルにより識別される店舗の通路によりこの店舗の通路に割り当てられた間口５２を求め、ケースをこの間口５２に仕分けするスタッカークレーン５４を備え、流動棚５３の間口５２へ仕分けするケースに収納の食品ナンバーを各間口５２毎に記憶し、流動棚５３の間口５２よりケースを取り出しカゴ車６８に移載する際に、最初と最終のケースの食品ナンバーを読み取り、記憶されたこの間口５２のケースの食品ナンバーに基づいて各間口５２より取り出されるケースをカゴ車６８毎に管理する。【選択図】図７
2006117366.tif 000002
【特許請求の範囲】
【請求項１】
複数の仕分け先の仕分け単位の物品要求情報に応じて、前記各仕分け先の仕分け単位毎にそれぞれ、予め物品を特定する情報が付された物品を仕分けする仕分けシステムであって、
前記物品要求情報に基づいて前記物品に取り付けられ、前記仕分け先の仕分け単位を識別する識別手段と、
前記物品を複数個連続して格納可能で、前記仕分け先の仕分け単位がそれぞれ割り当てられた間口を、複数を有する格納手段と、
前記物品に取り付けられた識別手段の仕分け先の仕分け単位により、この仕分け先の仕分け単位が割り当てられた間口を求め、前記物品をこの間口に仕分けする仕分け手段と、
前記格納手段の間口から取り出される物品の物品を特定する情報を読み取り可能な読み取り手段と
を備え、
前記格納手段の間口へ物品を仕分けするとき、この物品の物品を特定する情報を各間口毎に記憶し、前記格納手段の間口より仕分けられた物品を取り出す際に、最初と最終の物品の前記物品を特定する情報を、前記読み取り手段により読み取り、これら物品を特定する情報と、前記記憶された、この間口に仕分けられた物品の物品を特定する情報に基づいて、各間口より取り出される物品を特定し管理すること
を特徴とする仕分けシステム。
【請求項２】
前記物品は容器に収納されており、
単一の物品を収納して入荷されてきた入荷用容器より、前記物品の要求情報に応じて、前記物品を前記仕分け先の仕分け単位の仕分け用容器に仕分けする仕分け設備を備え、
前記入荷用容器を前記仕分け設備へ搬送して、この入荷用容器より物品を前記仕分け先の仕分け単位に仕分け用容器に仕分け、この仕分け用容器に前記識別手段を取り付けて前記仕分け手段に搬送し、仕分け手段により前記仕分け用容器を前記格納手段の間口に仕分けすること
を特徴とする請求項１に記載の仕分けシステム。
【請求項３】
前記入荷用容器に前記識別手段を取り付けて前記仕分け手段に搬送し、仕分け手段により前記仕分け用容器を前記格納手段の間口に仕分けすること
を特徴とする請求項２に記載の仕分けシステム。
【請求項４】
前記物品要求情報に基づいて、前記物品の仕分け先の仕分け単位を判別し、各物品に前記識別手段を取り付ける取付手段を備えたこと
を特徴とする請求項１〜請求項３のいずれか１項に記載の仕分けシステム。
【発明の詳細な説明】
【技術分野】
【０００１】
本発明は、仕分けシステム、例えば定温品やパンなど荷崩れし易い商品の仕分けシステムに関するものである。
【背景技術】
【０００２】
近年、チルド品等の定温品やパンなどの商品の店舗向け納品に際して、これら商品またはケースを、店舗での陳列作業の効率アップを背景に、店舗だけではなく、カテゴリー別、通路別に分けて納品することが要求されている。特に、定温品は多品種・少量で温度管理が必要なことから、定温品を含む商品は、カテゴリー別納品、通路別納品など１店舗でも５区分以上に分けて納品することが求められている（ニーズとなっている）。
【０００３】
このようなニーズを満足し、定温品やパンなどパット（食品を入れる専用のコンテナ）の中で荷崩れし易い商品の特性を考慮した仕分け設備として、ディジタルアソート（仕分け）設備や押出式（シュースライド型）自動仕分装置が広く使用されている。
【０００４】
前記ディジタルアソート設備の一例が、特許文献１の［従来の技術］の欄に説明されている。すなわち、アソート設備は、たとえば入荷してきた物品を仕分け先（店舗など）に仕分けを行う設備であり、作業者が、入荷してきた物品が収納された容器（バケットやコンテナなど）を、たとえば移動車（台車やカゴ車など）やコンベヤ等で移動させながら、この容器から物品の仕分け棚（保管棚）の各区画収納空間に対して、この区画収納空間毎に設けられた仕分け表示器の表示（入庫数量などの情報）、あるいは携帯端末機（ターミナル）に伝送されてくる表示（入庫する区画収納空間と数量などの情報）に応じて作業者が物品を移載することにより仕分け先毎の物品の集品（仕分け）が行われる。また保管棚にも、ピッキング棚と同様に、複数の区画収納空間からなるブロックが設定され、ブロック毎に一人の作業者に対する仕分け表示器の表示が行われ、各ブロックで作業者は上述した仕分け作業を行っている。
【０００５】
また上記押出式自動仕分装置は、例えば特許文献２に開示されている。押出式自動仕分装置は、スラットコンベヤに左右に移動するスライドシューを組み込んだもので、分岐装置によりシューが、各店舗に割り当てられた仕分けシュート側に導かれて商品を押し出すよう構成されている。
【特許文献１】特開２００２−３４７９１１号公報（第２頁右欄）
【特許文献２】特許第２６５４８５７号公報
【発明の開示】
【発明が解決しようとする課題】
【０００６】
しかし、従来のディジタルアソート設備では、多くの作業者が仕分けに従事しなければならないことから、人手、人材の確保が常に問題となっており、また仕分けのためのコストが高くなるという傾向にある。
【０００７】
また従来の押出式自動仕分装置では、各店舗のカテゴリー別、通路別に商品を仕分けようとすると、その数に合わせて、平面的に左右に配置される仕分けシュートの数が増加するため、設置スペースが多く必要となるという問題がある。また商品は仕分けシュートをスライドして保管されることにより、商品を作業者により仕分けする場合と比較して商品に衝撃が与えられる恐れがある。またチルド品等のように外気温度の影響を受ける商品の場合、複数の商品が同時に入荷されてしまうと、保管するまでに時間がかかって商品によい影響を与えないので、複数の商品をずらして入荷するようにし、出荷は一斉に短時間に行うことが求められるため、入荷した複数の商品を一旦、保管する設備が必要となるが、これに加えて押出式自動仕分装置を設けると、設備が大きなものとなってしまい、初期の投資コストの負担が大きくなってしまう。さらに、仕分けシュートから商品をカートに積載して、各店舗のカテゴリー別、通路別に出荷することになるが、実際にどの商品がカートに積載されているかが不明であり、商品の確実な実績管理を行うことが不可能であった。
【０００８】
そこで、本発明は、少ないスペースで、多くの店舗およびカテゴリー別、通路別仕分けを自動で行うことができ、また少ない人手で仕分け作業を行うことができ、さらに物品（商品）の確実な実績管理を行うことができる仕分けシステムを提供することを目的としたものである。
【課題を解決するための手段】
【０００９】
前述した目的を達成するために、本発明のうち請求項１に記載の発明は、複数の仕分け先の仕分け単位の物品要求情報に応じて、前記各仕分け先の仕分け単位毎にそれぞれ、予め物品を特定する情報が付された物品を仕分けする仕分けシステムであって、
前記物品要求情報に基づいて前記物品に取り付けられ、前記仕分け先の仕分け単位を識別する識別手段と、前記物品を複数個連続して格納可能で、前記仕分け先の仕分け単位がそれぞれ割り当てられた間口を、複数を有する格納手段と、前記物品に取り付けられた識別手段の仕分け先の仕分け単位により、この仕分け先の仕分け単位が割り当てられた間口を求め、前記物品をこの間口に仕分けする仕分け手段と、前記格納手段の間口から取り出される物品の物品を特定する情報を読み取り可能な読み取り手段とを備え、前記格納手段の間口へ物品を仕分けするとき、この物品の物品を特定する情報を各間口毎に記憶し、前記格納手段の間口より仕分けられた物品を取り出す際に、最初と最終の物品の前記物品を特定する情報を、前記読み取り手段により読み取り、これら物品を特定する情報と、前記記憶された、この間口に仕分けられた物品の物品を特定する情報に基づいて、各間口より取り出される物品を特定し管理することを特徴とするものである。
【００１０】
上記構成によれば、物品を仕分けするとき、物品に取り付けられた識別手段の仕分け先の仕分け単位により仕分け先の仕分け単位が割り当てられた間口が求められ、この求められた間口に仕分けられ、また間口毎に仕分けられた物品の物品を特定する情報が記憶される。そして、複数個連続して格納された物品を各間口から取り出す際、最初と最終の物品の物品を特定する情報が読み取り手段により読み取られ、これら物品を特定する情報に基づいて、各間口より取り出される物品が特定され管理される。よって、物品を取り出した間口、すなわち仕分け先の仕分け単位毎に、取り出した物品が特定され、例えば、取り出した物品を移載した配送台車毎に物品を正確に確実に捉えることができる。
【００１１】
また請求項２に記載の発明は、請求項１に記載の発明であって、前記物品は容器に収納されており、単一の物品を収納して入荷されてきた入荷用容器より、前記物品の要求情報に応じて、前記物品を前記仕分け先の仕分け単位の仕分け用容器に仕分けする仕分け設備を備え、前記入荷用容器を前記仕分け設備へ搬送して、この入荷用容器より物品を前記仕分け先の仕分け単位に仕分け用容器に仕分け、この仕分け用容器に前記識別手段を取り付けて前記仕分け手段に搬送し、仕分け手段により前記仕分け用容器を前記格納手段の間口に仕分けすることを特徴とするものである。
【００１２】
上記構成によれば、入荷用容器より、物品の要求情報に応じて物品が仕分け先の仕分け単位の仕分け用容器に仕分けられ、この仕分け用容器に識別手段が取り付けられて仕分け手段に搬送され、仕分け手段により格納手段の間口に仕分けられる。
【００１３】
また請求項３に記載の発明は、請求項２に記載の発明であって、前記入荷用容器に前記識別手段を取り付けて前記仕分け手段に搬送し、仕分け手段により前記仕分け用容器を前記格納手段の間口に仕分けすることを特徴とするものである。
【００１４】
上記構成によれば、入荷用容器に識別手段が取り付けられて、直接仕分け手段に搬送され、仕分け手段により格納手段の間口に仕分けられる。
また請求項４に記載の発明は、請求項１〜請求項３のいずれか１項に記載の発明であって、前記物品要求情報に基づいて、前記物品の仕分け先の仕分け単位を判別し、各物品に前記識別手段を取り付ける取付手段を備えたことを特徴とするものである。
【００１５】
上記構成によれば、各物品は、物品要求情報に基づいて仕分け先の仕分け単位が判別され、識別手段が取り付けられる。
【発明の効果】
【００１６】
本発明の仕分けシステムは、複数個連続して格納された物品を各間口から取り出す際、最初と最終の物品の物品を特定する情報が読み取り手段により読み取られ、これら物品を特定する情報に基づいて、各間口より取り出される物品が特定され管理されることにより、物品を取り出した間口、すなわち仕分け先の仕分け単位毎に、取り出した物品を特定することができる、という効果を有している。
【発明を実施するための最良の形態】
【００１７】
以下、本発明の実施の形態を図面に基づいて説明する。
図１は本発明の実施の形態における仕分けシステムの構成図であり、入荷エリア１と仕分けエリア２と出荷エリア３から構成されている。
【００１８】
まず、仕分けシステムに注文されてくる注文データ（物品の要求情報）の一例について説明する。
本実施の形態における仕分けシステムは、複数の種類（例えば４０品）の荷崩れし易い食品（定温品やパンなど；物品の一例）の注文を受け付けることを可能としており、店舗（仕分け先の一例）からの食品の注文は、図２に示すように、店舗の通路別（仕分け先の仕分け単位の一例）に送られてくる、食品を特定する情報（例えば、食品ナンバー「００１」〜「００４０」）と数量から形成される。また食品のうちナンバー「０２１」〜「０４０」の食品はケース単位で注文され、他の食品は１個単位で注文されるものとしている。
【００１９】
これら店舗からの注文は、特定の期日単位で、コンピュータからなる仕分け制御コントローラ４で集計され、後述する各種データが形成され、これらデータにしたがって入荷から出荷までの仕分け作業が実行される。
【００２０】
また上記エリア１，２，３は、取り扱う食品の維持に必要な所定の温度の環境とされている。
［入荷エリア］
入荷エリア１には、トラックなどの運搬車両１３によって、上記食品が複数個（例えば１０個）裸の状態で底の浅い専用のコンテナ（入荷用容器の一例；以下、入荷ケースと称す）１１に収納されて入荷され、あるいは多量（例えば１２箱）の入荷ケース１１がカゴ車（一群での入荷用容器の入荷の一例）１２に搭載されて入荷される。なお、入荷ケース１１とカゴ車１２には、予め特定の位置に、収納している食品を特定する情報（物品を特定する情報）として、食品のナンバーとロットナンバーからなるバーコード（以下、食品バーコードと称す）が印字されたバーコードラベル（以下、食品バーコードラベルと称す）が取り付けられている。
【００２１】
そして、入荷エリア１では、入荷された入荷ケース１１またはカゴ車１２は３つのルートに分類、切り分けられて仕分けエリア２へ搬出される。
＊第１ルートおよび第２ルート
１個単位で注文される食品「００１」〜「０２０」のうち、入荷ケース１１の所定数量（例えば、１０個）以上の注文があった場合、仕分け制御コントローラ４において、図２に示すように、入荷ケース１１のケース数と食品数（１個単位）に分けられ、図３（ａ）に示すように、食品ナンバー毎に、入荷ケース１１の数と、注文の店舗および通路ナンバーからなるケース仕分けデータが形成される。
【００２２】
第１ルートおよび第２ルートに入荷ケース１１を仕分けする設備として、入荷された入荷ケース１１を運搬車両１３より搬入する搬入コンベヤ５と、搬入コンベヤ５により搬送されてきた入荷ケース１１を、第１ルートを形成する第１入荷コンベヤ１４と第２ルートを形成する第２入荷コンベヤ１５へ分岐する分岐装置６と、搬入コンベヤ５に沿って分岐装置６の入口に配置された入荷ケース１１の食品バーコードラベルより食品バーコード（食品のナンバーとロットナンバー）を読み取るバーコードリーダ７と、第１入荷コンベヤ１４に沿って分岐装置６の出口に配置され、第１入荷コンベヤ１４により搬送される入荷ケース１１に、注文の店舗および通路ナンバーからなるバーコード（以下、仕分けバーコードと称す）が印字されたバーコードラベル（以下、仕分けバーコードラベルと称す；識別手段の一例）を貼りつけるラベル貼付け機（取付手段の一例）８が設けられている。バーコードリーダ７の読み取りデータ（食品のナンバーとロットナンバー）は仕分け制御コントローラ４と分岐装置６へ入力される。また上記仕分け制御コントローラ４において形成された上記ケース仕分けデータは分岐装置６に予め登録される。
【００２３】
この構成により、搬入コンベヤ５により入荷ケース１１が入荷されてくると、その食品バーコードラベルから食品のナンバーとロットナンバーが読み取られ、仕分け制御コントローラ４と分岐装置６へ入力される。
【００２４】
分岐装置６は、この入力した食品のナンバーにより予め登録されたケース仕分けデータを検索して、ケース単位で仕分けするケースおよびケース台数以内かどうかを確認し、確認すると、この入荷ケース１１を第１入荷コンベヤ１４へ分岐し、続いてこの入荷ケース１１の店舗および通路ナンバーからなるデータをラベル貼付け機８へ出力して、入荷ケース１１に、店舗および通路ナンバーからなる仕分けバーコードラベルを貼り付けさせる。このように、ケース仕分けデータにしたがって、入荷ケース１１に仕分けバーコードラベル（店舗および通路ナンバー）が取り付けられて、第１ルートを形成する第１入荷コンベヤ１４で仕分けエリア２へ搬送される。図３（ａ）に示すデータでは、食品ナンバー「００３」の入荷ケース１１が１箱、Ａ店舗および通路ナンバー２の仕分けバーコードラベルが付されて搬送される。
【００２５】
また分岐装置６は、ケース単位で仕分けするケースではないとき、第２入荷コンベヤ１５へ分岐する。このように、１個単位で注文される食品「００１」〜「０２０」のうち、第１ルートへ分岐される以外の入荷ケース１１は、第２ルートを形成する第２入荷コンベヤ１５へ分岐され、仕分けエリア２へ搬送される。
【００２６】
このように、第１ルートおよび第２ルートに入荷ケース１１を仕分けする設備では、１個単位で注文される食品「００１」〜「０２０」が入荷ケース１１に収納されて入荷されると、入荷ケース１１単位で、注文データから形成されるケース仕分けデータにしたがって、２つの仕分け区分、すなわち第１ルートと第２ルートに仕分けられ、仕分けエリア２へ搬送される。
【００２７】
＊第３ルート
携帯型バーコードリーダ９が配置されており、ケース単位で注文される食品「０２１」〜「０４０」がカゴ車１２により入荷されてくると、この携帯型バーコードリーダ９によりカゴ車１２の食品バーコードラベルの食品バーコード（食品のナンバーとロットナンバー）が読み取られ、カゴ車１２のまま、作業者に押されて仕分けエリア２へ搬送される。携帯型バーコードリーダ９の読み取りデータ（食品のナンバーとロットナンバー）は仕分け制御コントローラ４へ入力される。
【００２８】
仕分け制御コントローラ４は、入荷ケース単位でバーコードリーダ７より入力する食品のナンバーとロットナンバー、およびカゴ車単位でバーコードリーダ９より入力する食品のナンバーとロットナンバーを記憶し、図２に示すように注文データの食品ナンバー毎にロットナンバーを記憶する。これにより、各店舗および通路別に注文された食品（ナンバー）のロットナンバーが記憶され、仕分けして各店舗へ出荷される食品のロットナンバーが正確に確実に捉えられる（トレーサビリティが実践される）。
［仕分けエリア］
仕分けエリア２には、アソート設備（仕分け設備の一例）２１と、プール設備２２と、カゴ車ピッキング設備（第２仕分け設備の一例）２４が備えられている。
「アソート設備２１」
アソート設備２１には、第２ルートを形成する第２入荷コンベヤ１５により入荷ケース１１が搬送され、各店舗の通路別（仕分け先の仕分け単位）に食品が仕分けられる。
【００２９】
図４に示すように、アソート設備２１は、第２入荷コンベヤ１５に連続して配置されたアキュムレーションコンベヤからなる仕分けコンベヤ２８と、この仕分けコンベヤ２８に沿って配置され、仕分けケース（仕分け用容器の一例）２９が収納される複数の区画収納空間３１を有する固定棚からなる仕分け棚３２と、仕分けが終了した仕分けケース２９をプール設備２２へ搬送する搬出仕分けコンベヤ３３と、アソート設備２１のアソート作業を制御する、コンピュータからなるアソート設備コントローラ３４から構成されている。なお、チルド品等の定温品の店舗への納品荷姿は、「限られた種類の容器（ケース）」であることが多く、仕分けケース２９をこの限られた種類のケース形状で、かつ入荷ケース１１と段積みが可能なケースとしている。
【００３０】
また３段３列の区画収納空間３１毎に一人の作業者がアソート作業を担当する（作業）ゾーンＺが設定されている。また仕分け棚３２の上部には、空きの仕分けケース２９が折畳んだ状態で積み付けられている。
【００３１】
また前記各区画収納空間３１にはそれぞれ、各店舗の通路が割り当てられ、アソート設備コントローラ３４に予め登録されている。
また各区画収納空間３１にはそれぞれ、アソート表示器３５が設けられている。各アソート表示器３５には、仕分けする食品の数量が表示されるディジタル数量表示器３６（表示手段）と完了押釦スイッチ３７（完了操作手段）と満了押釦スイッチ（満了操作手段）３８が設けられている。前記完了押釦スイッチ３７は、このスイッチ３７を設けた区画収納空間３１の仕分けケース２９へ数量表示器３６の表示された数量に応じて食品を仕分けする際に、あるいは投入し終わると（仕分けが終わると）操作される。
【００３２】
またアソート設備２１の入口（第２入荷コンベヤ１５の終端）には、入荷ケース１１の食品バーコード（ここでは食品ナンバー）を読み取るバーコードリーダ（入力手段）３９が設けられている。
【００３３】
また各ゾーンＺ毎に、仕分けコンベヤ２８の下流端に、ゾーン仕分け終了スイッチ４０と、仕分けケース２９へ取り付ける、店舗および通路ナンバーからなる仕分けバーコードが印字された仕分けバーコードラベル（入荷エリアのラベル貼付け機８が貼りつける仕分けバーコードラベルと同じもの）を発行するラベルプリンタ（発行手段）４１が設けられている。この仕分けバーコードラベルにより、仕分けケース２９が特定される。
【００３４】
前記アソート設備コントローラ３４に、仕分けコンベヤ２８と、各区画収納空間３１のアソート表示器３５と、バーコードリーダ３９と、各ゾーンＺのゾーン仕分け終了スイッチ４０およびラベルプリンタ４１が接続されている。また上記仕分け制御コントローラ４において、図２のデータから図３（ｂ）に示すアソート設備仕分けデータ、すなわち入荷ケース１１から各区画収納空間３１へ食品を仕分けするデータが形成され、アソート設備コントローラ３４へ登録される。例えば、食品ナンバー「００１」の入荷ケース１１からは、店舗Ａの通路ナンバー１に割り当てられた区画収納空間３１に５個、店舗Ｂの通路ナンバー２に割り当てられた区画収納空間３１に３個、店舗Ｃの通路ナンバー１に割り当てられた区画収納空間３１に２個が仕分けられるデータが形成される。
【００３５】
このアソート設備コントローラ３４の制御により、アソート設備において次のように仕分け作業が実行される。
１．仕分け作業の前に、アソート設備コントローラ３４により各ゾーンＺのラベルプリンタ４１が駆動されて、各区画収納空間３１に登録された店舗および通路ナンバーからなる仕分けバーコードが印字された仕分けバーコードラベルが発行される。作業者はこれら仕分けバーコードラベルを該当する各区画収納空間３１の仕分けケース２９にそれぞれ取り付ける。
【００３６】
２．入荷ケース１１は１箱毎に各ゾーンＺに搬入され、各ゾーンＺにおける仕分け作業が終了すると、次のゾーンＺへ搬送される。
３．入口のバーコードリーダ３９により読み取られたバーコードのデータにより入荷ケース１１に収納された食品のナンバーが確認され、この食品のナンバーにより、予め登録された前記アソート設備仕分けデータが検索され、各ゾーンにおける仕分けデータが形成される。この食品のナンバーの入荷ケース１１が搬送されてくる各ゾーンＺでは、形成された仕分けデータに基づいて、仕分けを行う区画収納空間３１のアソート表示器３５のディジタル表示器３６に仕分けする食品の数量が表示される。
【００３７】
４．各仕分け作業者は、入荷ケース１１が搬入されてくると、区画収納空間３１のアソート表示器３５の数量表示器３６に表示された数量に応じて入荷ケース１１より食品を仕分けケース２９へ投入し、投入し終わると（仕分けが終わると）、完了押釦スイッチ３７を操作する。また仕分けケース２９が満了となると、満了押釦スイッチ３８を操作し、搬出仕分けコンベヤ３３へ移載する。これにより満了となった仕分けケース２９がプール設備２２へ搬送される。また、アソート設備コントローラ３４は、この満了押釦スイッチ３８が操作された区画収納空間３１に割り付けられた、店舗および通路ナンバーを確認して、このゾーンＺのラベルプリンタ４１を駆動し、店舗および通路ナンバーからなる仕分けバーコードが印字された仕分けバーコードラベルを発行する。作業者はこの仕分けバーコードラベルを、空きの仕分けケース２９に取り付け、区画収納空間３１へ収納してアソート作業を続行する。
【００３８】
５．作業者は、入荷ケース１１に対する仕分け作業が終了すると、ゾーン仕分け終了スイッチ４０を操作する。アソート設備コントローラ３４は、全てのゾーンＺにおける仕分け作業が終了すると、仕分けコンベヤ２８を駆動して入荷ケース１１は隣接する下流のゾーンＺへ搬送する。
【００３９】
６．全ての入荷ケース１１への仕分け作業が終了すると、各ゾーンＺの作業者は、各区画収納空間３１より仕分けケース２９を取り出し、搬出仕分けコンベヤ３３へ移載する。これにより仕分けが終了した仕分けケース２９がプール設備２２へ搬送される。
【００４０】
このように、注文データに応じて入荷ケース１１より食品が、店舗および通路ナンバー毎に、仕分けバーコードラベルが取り付けられた仕分けケース２９に仕分けられ、プール設備２２へ搬出仕分けコンベヤ３３により搬送される。
「プール設備２２」
プール設備２２には、図５に示すように、複数群（図では、３群）の自動仕分け設備５１が並列に配置されている。各自動仕分け設備５１には、複数の入荷ケース１１と仕分けケース２９を連続して格納可能で、店舗および通路ナンバー（仕分け先の仕分け単位）がそれぞれ割り当てられた間口５２を、複数を有する流動棚（格納手段の一例）５３と、流動棚５３のケース投入口（入口）側に沿って形成された一定経路ｉを自動走行し、流動棚５３の間口５２へ入荷ケース１１または仕分けケース２９を投入するスタッカークレーン５４と、コンピュータからなる自動仕分け設備コントローラ５６と、スタッカークレーン５４へのケース１１，２９の搬入を行う入庫コンベヤ５７から構成されている。前記スタッカークレーン５４と自動仕分け設備コントローラ５６により仕分け手段の一例が形成される。
【００４１】
また各自動仕分け設備５１の流動棚５３は、１階フロアと２階フロアに渡って６段（各階３段）で１０（各階５つ）のゾーンｋに分れて形成されており、各ゾーンｋは、３段４列の間口５２から構成されている。そして、例えば、各ゾーンｋは所定の配送ルートにある店舗の群に割り当てられ、これら店舗の通路ナンバーがそれぞれこのゾーンｋの間口５２に割り当てられる。一例として図８に示すように、ゾーン１の間口１〜４に店舗Ａの通路ナンバー１〜４が割り当てられている。またこれら各自動仕分け設備５１の各間口５２にそれぞれ、予め割り当てられた店舗および通路ナンバー（仕分け先の仕分け先単位）は、各自動仕分け設備５１の自動仕分け設備コントローラ５６に登録される。また自動仕分け設備コントローラ５６は、図８に示すように、店舗および通路ナンバーが割り当てられた間口５２毎に、投入された入荷ケース１１または仕分けケース２９の食品のナンバーとロットナンバー（投入順）、さらに個数を、在庫データとして管理している。
【００４２】
またスタッカークレーン５４は、前記一定経路ｉを構成する天井部の走行レール５８Ａおよび床部のガイドレール５８Ｂに案内されて走行するように構成され、その昇降自在なキャレッジ５４Ａには、キャレッジ５４Ａと間口５２または入庫コンベヤ５７との間でケース１１，２９の出し入れを行うフォーク装置５５が設けられている。また、各自動仕分け設備５１のスタッカークレーン５４を案内する走行レール５８Ａおよびガイドレール５８Ｂは、連続しており、スタッカークレーン５４は隣接する自動仕分け設備５１に移動してケース１１，２９の移載を可能としている。
【００４３】
またプール設備２２の入口には、アソート設備２１の搬出仕分けコンベヤ３３により搬送されてきた仕分けケース２９と第１入荷コンベヤ１４により搬送されてきた入荷ケース１１が衝突しないように合流される合流装置５９が設けられている。この合流装置５９により合流されたケース１１，２９は、入庫搬送コンベヤ６１により搬送され、分岐装置６０へ搬入される。また入庫搬送コンベヤ６１に沿って、ケース１１，２９に取り付けられた仕分けバーコードラベルより店舗および通路ナンバーを読み取るバーコードリーダ６４と、ケース１１，２９に取り付けられた食品バーコードラベルより食品のナンバーとロットナンバーを読み取るバーコードリーダ６５が設けられている。これらバーコードリーダ６４，６５の読み取りデータは分岐装置６０へ入力されている。
【００４４】
前記分岐装置６０は、入庫搬送コンベヤ６１により搬送されてきたケース１１または２９を各自動仕分け設備５１の入庫コンベヤ５７へ分岐する装置である。この分岐装置６０には、予め、各自動仕分け設備５１（コントローラ５６）に割り当てられた、店舗および通路ナンバーが登録されており、バーコードリーダ６４により読み取った仕分けバーコードラベルの仕分けバーコード（店舗および通路ナンバー）を照合して、ケース１１または２９を分岐する自動仕分け設備５１を求め、入庫搬送コンベヤ６１より、求めた自動仕分け設備５１の入庫コンベヤ５７へ分岐する。また分岐したケース１１または２９の店舗および通路ナンバーのデータ、ならびにバーコードリーダ６５により読み取った食品バーコードラベルの食品バーコード（食品のナンバーとロットナンバー）のデータとを自動仕分け設備コントローラ５６へ出力している。
【００４５】
また各自動仕分け設備５１のゾーン毎にそれぞれ、流動棚５３からケース１１，２９を取り出す取り出し口（出口）側に、ケース１１，２９に取り付けられたバーコードラベルより食品のナンバーとロットナンバーを読み取る携帯型バーコードリーダ６６（読み取り手段の一例）と、店舗および通路ナンバーからなる仕分けバーコードを印字した仕分けバーコードラベル（入荷エリアのラベル貼付け機８が貼りつける仕分けバーコードラベルと同じもの）を発行するラベルプリンタ６７が設けられている。ラベルプリンタ６７により発行された仕分けバーコードラベルは出荷用カゴ車６８に貼り付けられる。また携帯型バーコードリーダ６６は、ラベルプリンタ６７により発行されて出荷用カゴ車６８に貼り付けられた仕分けバーコードラベルより店舗および通路ナンバーを読み取ることに使用される。
【００４６】
上記自動仕分け設備コントローラ５６による自動仕分け設備５１における仕分け動作を説明する。
「入庫・仕分け」
自動仕分け設備コントローラ５６は、分岐装置６０より店舗および通路ナンバーを入庫すると、予め登録された間口５２の店舗および通路ナンバーに基づいて、入庫する間口５２を求める。そして、入庫コンベヤ５７にケース１１または２９が搬送されてくると、スタッカークレーン５４を駆動して、入庫コンベヤ５７よりフォーク装置６５によりケース１１または２９をキャレッジ５４Ａ上へ移載し、確認された間口５２へケース１１または２９を搬送し、フォーク装置６５を使用して前記求めた間口５２へ投入する。投入後、上記在庫データ、すなわちケース１１または２９の個数と、食品のナンバーとロットナンバー（投入順）を更新する。
【００４７】
「出庫」
仕分けが終了すると、出庫作業が実行される。
まず、作業者は、図７に示すように、各ゾーンの各間口５２にそれぞれ対応する出荷用カゴ車６８を用意する。また自動仕分け設備コントローラ５６は、各間口５２毎に収納されたケース１１または２９の個数を、出荷用カゴ車６８に搭載可能なケース１１または２９で除算して必要な出荷用カゴ車６８の台数を求め、各ゾーンのラベルプリンタ６７に対して、各ゾーンの各間口５２に割り当てられた店舗および通路ナンバーならびに出荷用カゴ車６８の台数からなるデータを出力し、店舗および通路ナンバーからなる仕分けバーコードを印字した仕分けバーコードラベルを出荷用カゴ車６８の台数分発行させる。作業者はこれらバーコードラベルを、各間口５２にそれぞれ対応する出荷用カゴ車６８に貼り付ける。
【００４８】
続いて作業者は、各間口５２よりそれぞれ対応する出荷用カゴ車６８にケース１１または２９を移載する。このとき、まずバーコードリーダ６６により出荷用カゴ車６８に貼り付けた仕分けバーコードラベルのバーコード（店舗および通路ナンバー）を読み取り、自動仕分け設備コントローラ５６へ入力し、続いてバーコードリーダ６６によりこの出荷用カゴ車６８に投入する最初のケース１１または２９の食品バーコードラベルのバーコード（食品のナンバーとロットナンバー）を読み取り、自動仕分け設備コントローラ５６へ入力する。そして、出荷用カゴ車６８への移載を行い、満了となると、バーコードリーダ６６によりこの出荷用カゴ車６８に投入した最後のケース１１または２９の食品バーコードラベルのバーコード（食品のナンバーとロットナンバー）を読み取り、自動仕分け設備コントローラ５６へ入力する。
【００４９】
また間口５２にケース１１または２９が残っている場合は、次の出荷用カゴ車６８に対して同様の動作を繰り返す。このような作業者が判断をする必要がない単純な作業で、「店舗および通路ナンバー」で特定される出荷用カゴ車６８が形成され、ミスが低減されている。
【００５０】
自動仕分け設備コントローラ５６は、入力した店舗および通路ナンバーにより出荷用カゴ車６８を特定し、続いて最初のケース１１または２９の食品のナンバーとロットナンバーおよび最後のケース１１または２９の食品のナンバーとロットナンバーにより、図８に示すように、在庫データから途中に取り出されたケース１１または２９の食品のナンバーとロットナンバーを求め、「店舗および通路ナンバー」で特定される出荷用カゴ車６８に移載されたケース１１または２９の食品のナンバーとロットナンバーが記憶される。例えば、図８に示す間口ナンバー“１”よりこの間口に対応する出荷用カゴ車６８に対してケース１１または２９の積み込み（移載）を行うとき、バーコードリーダ６６により最初のケース１１または２９の食品バーコードラベルの食品バーコードから読み取られたデータ、すなわち食品のナンバーとロットナンバーが“ａ”、同様に最後のケース１１または２９の食品のナンバーとロットナンバーが“ｇ”のとき、在庫データよりこれら食品のナンバーとロットナンバー“ａ”と“ｇ”の中間に記憶された食品のナンバーとロットナンバーが“ｂ，ｃ，ｄ，ｅ，ｆ”が求められ、「店舗および通路ナンバー」で特定される出荷用カゴ車６８に移載されたケース１１または２９の食品のナンバーとロットナンバー“ａ，ｂ，ｃ，ｄ，ｅ，ｆ，ｇ”が記憶される。
【００５１】
移載が終了した出荷用カゴ車６８は出荷エリア３へ搬送される。
上記プール設備２２の構成によれば、アソート設備２１の搬出仕分けコンベヤ３３により搬送されてきた仕分けケース２９と第１入荷コンベヤ１４により搬送されてきた入荷ケース１１が判別され、スタッカークレーン５４が駆動され、店舗および通路ナンバーが予め割り付けられた間口５２に投入される（仕分けられる）。このとき、間口５２毎に、間口５２に投入されるケース１１または２９の食品のナンバーとロットナンバーが記憶され、在庫データが形成される。
【００５２】
また仕分けが終了すると、間口５２に仕分けられたケース１１または２９を、この間口５２に対応する出荷用カゴ車６８に移載する。すると、出荷用カゴ車６８を店舗および通路ナンバーの台車とすることができ、出荷エリア３へ搬送される。このとき、最初と最終のケース１１または２９の食品バーコードを読み取ることにより、記憶されたこの間口５２に仕分けられたケース１１または２９の食品ナンバーとロットナンバーに基づいて各間口５２より取り出されるケース１１，２９がカゴ車６８毎に求められ、店舗および通路ナンバーにより特定される各出荷用カゴ車６８毎にそれぞれ、移載されたケース１１または２９の食品のナンバーとロットナンバーが記憶される。これらデータは仕分け作業が終了すると、仕分け制御コントローラ４に転送され、最終的にはこの仕分け制御コントローラ４において、店舗および通路ナンバーにより特定される各出荷用カゴ車６８に移載されたケース１１または２９の食品のナンバーとロットナンバー、すなわち積み込み実績が記憶される。
「カゴ車ピッキング設備２４」
カゴ車ピッキング設備２４は、水平回転棚設備から構成されており、図９に示すように、カゴ車１２を載置する受け台７１を複数リンクし、無端長円状の下部（床）レール７２と同形状の上部レール７３にローラ等を介して支持案内させて、複数の受け台７１を同時に正逆移動させる構成とされている。複数の受け台７１を同時に正逆移動させるための駆動装置として、両レール７２，７３の内側において、円弧中心近くに立設する駆動軸７８ならびに従動軸７９と、これら軸７８，７９に取り付けた駆動輪体８０ならびに従動輪体８１と、両輪体８０，８１間に巻張され、かつ各受け台７１が連結される無端回動体８２と、上記駆動軸７８に連動連結した正逆駆動自在なモータ８３が設けられている。
【００５３】
またカゴ車１２を受け台７１に乗り降りさせる搬入出口に、カゴ車１２の食品バーコードラベルよりバーコード（食品ナンバーとロットナンバー）を読み取る携帯型バーコードリーダ８７とコンピュータからなる入出庫用コントローラ８４が設けられ、カゴ車１２より入荷ケース１１の仕分けを行う仕分け口に、コンピュータからなる仕分け用コントローラ８５と店舗および通路ナンバーからなる仕分けバーコードを印字した仕分けバーコードラベル（入荷エリアのラベル貼付け機８が貼りつける仕分けバーコードラベルと同じもの）を発行するラベルプリンタ８６が設けられている。また上記仕分け制御コントローラ４により、図２に示すデータより、店舗および通路毎に、ピッキングする食品ナンバーの入庫ケース１１の数量が求められてカゴ車ピッキング設備データが形成され、このカゴ車ピッキング設備データが、予め仕分け用コントローラ８５に登録される。
【００５４】
入出庫用コントローラ８４には、在庫データとして、各受け台７１に搭載されているカゴ車１２の積み付けられた入荷ケース１１の数量と食品ナンバーとロットナンバーが記憶される。作業者は入荷エリア１よりカゴ車１２を搬送してくると、入出庫用コントローラ８４へ入庫要求を入力し、入出庫用コントローラ８４はこの入庫要求に応じて在庫データより空き受け台７１を求め、モータ８３を駆動してこの空き受け台７１を搬入出口へ移動させる。作業者は空き受け台７１が搬入出口へ移動されてくると、まず携帯型バーコードリーダ８７によりカゴ車１２の食品バーコードラベルよりバーコード（食品ナンバーとロットナンバー）を読み取らせて入出庫用コントローラ８４へ入力し、続いて移動されてきた空き受け台７１へカゴ車１２を乗り込ませ、入出庫用コントローラ８４へ入荷ケース１１の数量を入力する。これにより在庫データが更新されて記憶され、仕分け用コントローラ８５へ転送される。また作業者は、カゴ車１２を受け台７１より降ろすときは、入出庫用コントローラ８４へ食品ナンバーを含む出庫要求を入力し、入出庫用コントローラ８４はこの出庫要求に応じて在庫データを検索して、入力した食品ナンバーのカゴ車１２を搭載した受け台７１を求め、モータ８３を駆動してこの受け台７１を搬入出口へ移動させる。作業者はこの受け台７１が搬入出口へ移動し、カゴ車１２が搬入出口へ移動されてくると、この受け台７１よりカゴ車１２を降ろし、入出庫用コントローラ８４へ出庫終了を入力する。これにより在庫データが更新されて記憶される（空きの受け台７１として登録される）。
【００５５】
また仕分け口に設けた仕分け用コントローラ８５の指示により、入庫ケース１１毎の仕分け作業が実行される。すなわち、仕分け用コントローラ８５より作業者に店舗および通路ナンバーが指示され、ラベルプリンタ８６より店舗および通路ナンバーからなる仕分けバーコードが印字された仕分けバーコードラベルが発行される。作業者は発行された仕分けバーコードラベルを出荷用のカゴ車８８に取り付け、続いて仕分け用コントローラ８５により仕分け口へ移動されてくるカゴ車１２より、指示された数量の入庫ケース１１を出荷用カゴ車８８へ移載し、移載終了を仕分け用コントローラ８５へ入力する。これにより店舗および通路ナンバーにより特定される出荷用カゴ車８８へ移載した入荷ケース１１の食品ナンバーとロットナンバー（仕分け口へ移動されてきたカゴ車１２の食品ナンバーとロットナンバー）を記憶する。
【００５６】
この仕分け作業をカゴ車１２が仕分け口へ移動されてくる毎に行う。したがって、店舗および通路ナンバーにより特定される出荷用カゴ車８８へ移載した入荷ケース１１の食品ナンバーとロットナンバーが特定される。
【００５７】
出荷用カゴ車８８に対する出庫作業が終了すると、この出荷用カゴ車８８を出荷エリア３へ搬送する。
このように、カゴ車ピッキング設備２４において、カゴ車１２により一群の入荷ケース１１が入荷されると、カゴ車１２より入荷ケース１１単位で、店舗および通路ナンバー別（仕分け先および仕分け先の単位）に入荷ケース１１が仕分けられ、出荷用カゴ車８８に搭載されて出荷エリア３へ搬送される。また店舗および通路ナンバーにより特定される出荷用カゴ車８８毎にそれぞれ、移載された入荷ケース１１の食品ナンバーとロットナンバーが記憶され、これらデータは仕分け作業が終了すると、仕分け制御コントローラ４に転送され、最終的にはこの仕分け制御コントローラ４において、店舗および通路ナンバーにより特定される各出荷用カゴ車８８に移載された入荷ケース１１の食品のナンバーとロットナンバー（積み込み実績）が記憶される。
［出荷エリア］
出荷エリア３では、プール設備２２より搬送されてきた店舗および通路ナンバー毎の出荷用カゴ車６８と、カゴ車ピッキング設備２４より搬送されてきた店舗および通路ナンバー毎の出荷用カゴ車８８とが、仕分けバーコードラベルにより店舗および通路ナンバーが確認されて合流され、配送ルート・店舗別にトラック等の運搬車両１３へ搭載され、各店舗へ運搬される。
【００５８】
以上のように本実施の形態によれば、流動棚５３の間口５２へ仕分けする入荷ケース１１または仕分けケース２９に収納の食品ナンバーを各間口５２毎に記憶し、流動棚５３の間口５２より入荷ケース１１または仕分けケース２９を取り出しカゴ車６８に移載する際に、最初と最終の入荷ケース１１または仕分けケース２９の食品バーコードを読み取ることにより、店舗および通路ナンバーにより特定される出荷用カゴ車６８毎にそれぞれ、移載されたケース１１または２９の食品のナンバーとロットナンバーが記憶され、また店舗および通路ナンバーにより特定される出荷用カゴ車８８毎にそれぞれ、移載された入荷ケース１１の食品ナンバーとロットナンバーが記憶されることにより（最終的にこれらデータが仕分け制御コントローラ４に蓄えられることにより）、積み込み実績を、各店舗へ実際に出荷される出荷用カゴ車６６，８８単位およびケース１１，２９単位で正確に確実に捉えることができ、トレーサビリティを実践することができる。また仕分け制御コントローラ４により、図２に示すように、食品ナンバー毎に実際に入荷した食品のロットナンバーが記憶され、各店舗および通路別に注文された食品（ナンバー）のロットナンバーが記憶されることにより、各店舗および通路別に仕分けして出荷される食品のロットナンバーを正確に確実に捉えることができ、トレーサビリティを実践できる。
【００５９】
また本実施の形態によれば、入荷ケース１１は、第１ルートと第２ルートの２つのラインに仕分けられ、一方はアソート設備２１で、入荷ケース１１より食品が店舗および通路ナンバー単位の仕分けケース２９に仕分けられ、この仕分けケース２９はプール設備２２へ搬送され、また入荷ケース１１は他方、店舗および通路ナンバーが特定されて直接、プール設備２２へ搬送され、入荷ケース１１と仕分けケース２９は、店舗および通路ナンバーの単位毎に自動仕分け設備５１の間口５２に投入されて保管され、すなわちプール設備２２において、店舗および通路ナンバー別に仕分けが実行されて保管されることによって、定温品やパンなど荷崩れし易い食品の仕分け作業を省力化でき、また荷崩れし易い食品を収納したケース（入荷ケース１１と仕分けケース２９）のケース単位での店舗および通路ナンバー別仕分け作業を自動化することができ、さらに完全自動化が可能となる。また店舗および通路ナンバー別に搬出されて出荷されることにより、店舗および通路ナンバーの単位の出荷、すなわち通路別納品を実現することができる。
【００６０】
また本実施の形態によれば、上下多段左右に多くの間口５２を備えた流動棚５３を使用することにより、要求された店舗および通路ナンバー別（仕分け単位）が確実に自動で仕分けできる間口を確保でき、また確実な自動仕分けの実行により仕分けミスの排除、仕分け効率のアップを図ることができる。さらに上下多段左右に多くの間口５２を備えた流動棚５３を使用して、店舗および通路ナンバー別仕分け作業が実行されることにより、従来の押出式（シュースライド型）自動仕分装置と比較して省スペースおよび低コストを実現することができ｛押出式（シュースライド型）自動仕分装置では平面的に配置される、店舗および通路ナンバー別の仕分けシュートが必要となる｝、少ないスペースで多くの店舗の通路別仕分けができ、また人手では困難な多くの店舗の通路別仕分けが可能となる。
【００６１】
また本実施の形態によれば、入荷ケース１１が一群で、例えば多量の入荷ケース容器がカゴ車１２により入荷されると、カゴ車ピッキング設備２４を使用してこのカゴ車１２から直接、店舗および通路ナンバーの単位に仕分けられることにより、多量の入荷ケース１１の仕分けを迅速に実行することができる。
【００６２】
また本実施の形態によれば、アソート設備２１およびプール設備２２を使用して食品の仕分けが実行されることにより、押出式（シュースライド型）自動仕分装置を使用したときと比較して食品（商品）に与える衝撃を少なくでき、自動化対象を大幅に増やすことができる（投資効果を大きくできる）。
【００６３】
なお、本実施の形態では、仕分け先の単位を、店舗の通路別としているが、店舗の区画や棚、カテゴリー別などとすることもできる。
また本実施の形態では、仕分けシステムのエリア１，２，３を、取り扱う食品の維持に必要な所定の温度の環境としているが、エリア内の各設備毎に温度設定をすることもできる。例えば、無人のプール設備２２では、温度をチルド品の長期保存に適した４℃程度に設定し、作業者がアソート設備２１では、作業者に影響を与えない温度に設定する。
【００６４】
また本実施の形態では、入荷エリア１において分岐装置６を使用して第１ルートと第２ルートに入荷ケース１１を仕分けているが、図３（ａ）に示すケース仕分けデータに基づいて人手により入荷ケース１１を仕分けすることも可能である。また入荷ケース１１を２段としても間口５２に投入できる場合、人手により入荷ケース１１を２段積みにして仕分けすることも可能である。このとき、仕分けバーコードラベルに、２段積みのデータを付加し、間口５２に投入された入荷ケース１１が２段積みであることを自動仕分け制御コントローラ５６へ入力する必要がある。
【００６５】
また本実施の形態では、自動仕分け設備５１のコントローラ５６において、各間口５２に保管されたケース１１または２９の在庫データの管理を行っているが、仕分け制御コントローラ４において各自動仕分け設備５１の在庫データの管理を行ってもよい。
【００６６】
また本実施の形態では、アソート設備２１の仕分けコンベヤ２８を、アキュムレーションコンベヤにより構成しているが、アキュムレーションコンベヤに限ることはなく、各ゾーンＺの終端に、入荷ケース１１の移動を阻止するストッパを備えたコンベヤにより形成してもよい。入荷ケース１１を保留するとき、ストッパを上げて入荷ケース１１が搬出されることを阻止し、隣接する下流のゾーンへ搬出するとき、ストッパを下げて入荷ケース１１の搬出を可能とする。またアソート設備２１の仕分け棚３２として固定棚を使用しているが、流動棚を使用し、満了となった仕分けケース２９を取り出すと、空きの仕分けケース２９が前面に出てくる構成とすることもできる。またアソート設備２１では、仕分けケース２９に、作業者が店舗および通路ナンバーを示すバーコードが記載されたバーコードラベルを貼り付けているが、ラベル貼付け機を設けて、空きの仕分けケース２９にバーコードラベルを貼付け、アソート設備２１へ供給するようにすることもできる。
【００６７】
また本実施の形態では、入荷ケース１１を入荷する手段として、カゴ車１２を使用しているが、カゴ車１２に限ることはなく、カートやパレットなどを使用することも可能である。また出荷するケース１１，２９の搬送手段として出荷用カゴ車６８，８８を使用しているが、同様にカートやパレットなどを使用することも可能である。
【００６８】
また本実施の形態では、入荷ケース１１に収納している食品を特定する情報（物品を特定する情報）をバーコードにて表し、このバーコードが印字されたバーコードラベルを使用しているが、このようなバーコードラベルに限ることはなく、例えば、前記食品を特定する情報が記憶されたＩＣタグを使用してもよい。また注文の店舗および通路ナンバーを示す情報をバーコードにて表し、このバーコードが印字されたバーコードラベルを入荷ケース１１と仕分けケース２９に取り付けているが、このようなバーコードラベルに限ることはなく、例えば、注文の店舗および通路ナンバーを示す情報が記憶されたＩＣタグを使用してもよい。このとき、ラベルプリンタに代えて、ＩＣタグ取り付け機を使用し、バーコードリーダに代えて、ＩＣタグ読み取り機を使用する。
【図面の簡単な説明】
【００６９】
【図１】本発明の実施の形態における仕分けシステムの構成図である。
【図２】同仕分けシステムへの注文データの説明図である。
【図３】同仕分けシステムの仕分け用データの説明図である。
【図４】同仕分けシステムのアソート設備の平面および正面図である。
【図５】同仕分けシステムの自動仕分け設備の平面図である。
【図６】同仕分けシステムの自動仕分け設備の側面図である。
【図７】同仕分けシステムの自動仕分け設備の要部斜視図である。
【図８】同仕分けシステムの自動仕分け設備の在庫データの説明図である。
【図９】同仕分けシステムのカゴ車ピッキング設備の平面および正面図である。
【符号の説明】
【００７０】
１    入荷エリア
２    仕分けエリア
３    出荷エリア
４    仕分け制御コントローラ
６    分岐装置
８    ラベル貼付け機
１１  入荷ケース
１２  カゴ車
２１  アソート設備
２２  プール設備
２４  カゴ車ピッキング設備
２８  仕分けコンベヤ
２９  仕分けケース
３１  区画収納空間
３２  仕分け棚
３５  アソート表示器
５１  自動仕分け設備
５２  間口
５３  流動棚
５４  スタッカークレーン
５６  自動仕分け設備コントローラ
５７  入庫コンベヤ
５９  合流装置
６０  分岐装置
６４，６５，６６  バーコードリーダ
６８，８８  出荷用カゴ車
７１  受け台
８４  入出庫用コントローラ
８５  仕分け用コントローラ
【図１】
2006117366.tif 000003
【図２】
2006117366.tif 000004
【図３】
2006117366.tif 000005
【図４】
2006117366.tif 000006
【図５】
2006117366.tif 000007
【図６】
2006117366.tif 000008
【図７】
2006117366.tif 000009
【図８】
2006117366.tif 000010
【図９】
2006117366.tif 000011